(57)【要約】【課題】二重容器の清潔性を容易に保つことができる二重容器を提供すること。【解決手段】外容器１１と、外容器１１の口部２２に着脱自在に装着されて口部２２を外側から覆うリング状の口部材１２と、外容器１１よりも薄肉であり、上端開口部が口部材１２に連設されて外容器１１の内側に配置された内容器１３と、口部材１２に着脱自在に装着されて外容器１１及び内容器１３を閉塞する蓋部材１４と、を備える。【選択図】図３
2010036914.tif 000002
【特許請求の範囲】
【請求項１】
外容器と、
前記外容器の口部に着脱自在に装着されて該口部を外側から覆うリング状の口部材と、
前記外容器よりも薄肉であり、開口部が前記口部材に連設されて前記外容器の内側に配置された内容器と、
前記口部材に着脱自在に装着されて前記外容器及び前記内容器を閉塞する蓋部材と、を備えることを特徴とする二重容器。
【請求項２】
前記外容器が、第１係合部を有し、
前記口部材が、前記第１係合部と係合して前記外容器との相対的な周方向の回転移動及び軸方向の移動を規制する第２係合部を有し、
前記蓋部材と前記口部材とは、互いが相対的に周方向に回転移動されることによって装着または取り外されることを特徴とする請求項１に記載の二重容器。
【発明の詳細な説明】
【技術分野】
【０００１】
本発明は、二重容器に関するものである。
【背景技術】
【０００２】
二重容器として、特許文献１に示されているように、筒状の外容器と、外容器の内側に配置された内容器と、外容器の開口部に開閉ヒンジを介して連結されて内容器の開口部を開閉させる蓋部材と、を備える構成が知られている。この二重容器は、内容物が無くなった際に内容物が充填された新たな内容器と交換可能となっている。
【特許文献１】特許第３８３４２５６号公報
【発明の開示】
【発明が解決しようとする課題】
【０００３】
しかしながら、上記従来の二重容器においても、以下の課題が残されている。すなわち、従来の二重容器では、交換可能な内容器の上端部分を、外容器の口部上端に載置させた状態で前記内容器が保持されている。ところが、二重容器の使用時においては、使用者の手が触れたり、取り出した内容物が付着したりすることなどによって、口部が汚れることがある。しかし、口部が外容器に形成されているため、内容器を交換する際に前記口部を清掃する必要があるが、ネジ形状などの係合手段が形成されているため、汚れを完全に除去することが難しいという問題があった。
【０００４】
本発明は、前述の課題に鑑みてなされたもので、清潔性を容易に保つことができる二重容器を提供することを目的とする。
【課題を解決するための手段】
【０００５】
本発明は、上記のような課題を解決するために以下のような手段を採用した。すなわち、本発明の二重容器は、外容器と、前記外容器の口部に着脱自在に装着されて該口部を外側から覆うリング状の口部材と、前記外容器よりも薄肉であり、開口部が前記口部材に連設されて前記外容器の内側に配置された内容器と、前記口部材に着脱自在に装着されて前記外容器及び前記内容器を閉塞する蓋部材と、を備えることを特徴とする。
【０００６】
この発明では、蓋部材と口部材及び内容器とが外容器に対して共に着脱自在であり、蓋部材、口部材及び内容器を交換できるため、二重容器の清潔性を容易に保つことができる。
すなわち、口部材により外容器の口部が覆われているので、内容物を取り出す際には、使用者の指などが外容器の開口部ではなく口部材の開口縁部に接触する。そのため、外容器の開口部の周縁部が汚れにくくなる。また、蓋部材は、外容器に直接装着されずに、外容器に装着可能な口部材に装着されている。そのため、蓋部材の着脱時において外容器の開口部がより汚れにくくなる。さらに、二重容器の使用時において内容物を取り出す場合に使用者の指などは、外容器の開口部に触れずに外容器の外面のみを触れることとなる。このように、口部材が外容器の開口部に装着されると共に蓋部材が口部材に装着される構造とすることで、二重容器の使用時において外容器が汚れにくくなる、または外容器の外面のみが汚れるため容易に外面の汚れを取り除くことができる。そして、内容器が口部材に連設されているため、蓋部材、口部材及び内容器を容易に交換することができる。したがって、二重容器の清潔性を保つことが容易となる。
また、内容器が外容器よりも薄肉であるため、二重容器全体を新たな二重容器に交換する場合に限らず、外容器の厚さが内容器の厚さと同等である場合と比較して、交換による廃棄物の体積を低減することができるため、交換による環境負荷を低減することができる。
【０００７】
また、本発明の二重容器は、前記外容器が、第１係合部を有し、前記口部材が、前記第１係合部と係合して前記外容器との相対的な周方向の回転移動及び軸方向の移動を規制する第２係合部を有し、前記蓋部材と前記口部材とは、互いが相対的に周方向に回転移動されることによって装着または取り外されることが好ましい。
この発明では、第１及び第２係合部が係合することで口部材と外容器とが相対的に周方向で回転しないため、例えば螺合のような相対回転による固定によって蓋部材を口部材に装着することができる。
【発明の効果】
【０００８】
この発明にかかる二重容器によれば、蓋部材と口部材及び内容器とが外容器に対して共に着脱自在であり、蓋部材、口部材及び内容器を交換できるため、二重容器の清潔性を容易に保つことができる。また、交換による環境負荷を低減することができる。
【発明を実施するための最良の形態】
【０００９】
以下、本発明による二重容器の一実施形態を、図面に基づいて説明する。なお、以下の説明に用いる各図面では、各部材を認識可能とするために縮尺を適宜変更している。
本実施形態における二重容器１は、図１から図４に示すように、外容器１１、口部材１２、内容器１３及び蓋部材１４を備えている。
なお、図３及び図４に示すように、外容器１１、口部材１２、内容器１３及び蓋部材１４は、それぞれ円筒状に形成されており、それぞれの中心軸が共通軸上に位置している。以下、この共通軸を中心軸線（容器本体軸）Ｏと称する。また、本実施形態では、中心軸線Ｏに沿って蓋部材１４側を「上側」とし、その反対側を「下側」とする。さらに、本実施形態では、中心軸線Ｏと直交する方向を「径方向」とする。
【００１０】
外容器１１は、図２から図４に示すように、有底円筒状の胴部２１と、胴部２１の上端に形成された口部２２とを備えている。
胴部２１の上端部における内周面には、図１から図４に示すように、口部材１２の後述する一対の係合凸部（第２係合部）３４ａそれぞれと係合する一対の係合凹部（第１係合部）２３が形成されている。一対の係合凹部２３は、図１及び図４に示すように、胴部２１の上端部における内周面において中心軸線Ｏを径方向で挟んで互いに対向する位置に形成されている。また、係合凹部２３は、図４に示すように、胴部２１の縦断面視でＬ字状をなしており、下側に位置して径方向外方に向けて窪んだ部分に後述する係合凸部３４ａが係合される。
【００１１】
口部２２は、図３及び図４に示すように、胴部２１よりも薄肉のほぼ円筒形をなしており、胴部２１の上端から上方に向けて突出している。また、口部２２は、内径が胴部２１の内径と同等となっており、内周面が胴部２１の内周面と滑らかに連続して形成されている。そして、口部２２には、図１、図２及び図４に示すように、上下方向に沿って口部２２の上端から下端にわたって形成され、下端部において係合凹部２３に連通された通過孔２４が形成されている。
【００１２】
口部材１２は、ほぼ円筒状をなしており、図３及び図４に示すように、外壁部３１、内壁部３２及び接続部３３を備えている。
外壁部３１は、ほぼ円筒状をなしており、内径が口部２２の外径とほぼ同等となっている。また、外壁部３１の上下方向の長さは、口部２２の上下方向の長さと同等となっている。そして、外壁部３１の上端は、平面視でほぼ円環状である接続部３３により内壁部３２の中心軸線Ｏ方向における中央部分に接続されている。さらに、外壁部３１には、図１、図２及び図４に示すように、径方向で互いに対向する各位置に、周方向に間隔をあけて形成された２つの縦スリット３５によって区画された一対の係合片３４が形成されている。
【００１３】
一対の係合片３４は、その上端部を中心として径方向で弾性変形するように回転自在に形成されている。また、係合片３４は、二重容器１から蓋部材１４を取り外した状態で、径方向外側に露出している。そして、係合片３４の下端部は、外壁部３１の他の部分よりも下方に突出しており、この係合片３４の下端部に径方向外方に向けて突出する係合凸部３４ａが設けられている。
ここで、係合凸部３４ａ（係合片３４）の周方向の幅は、係合凹部２３の周方向の幅と同等となっている。このため、係合凸部３４ａと係合凹部２３とが係合すると、口部材１２と外容器１１との周方向に沿った相対的な回転移動が規制される。
さらに、外壁部３１の外周面には、図１から図４に示すように、係合片３４を除く全周にわたって蓋部材１４の後述する雌ネジ部４３と螺合する雄ネジ部３６が形成されている。
【００１４】
内壁部３２は、外壁部３１の径方向内側に設けられており、上端が外壁部３１よりも上方に突出している。また、内壁部３２は、ほぼ円筒状をなしており、外径が口部２２の内径とほぼ同等となっている。そして、内壁部３２と外壁部３１との間で、口部２２が径方向に挟み込まれている。
さらに、内壁部３２の上端開口には、図２から図４に示すように、内蓋材３７が載置されている。内蓋材３７は、平面視でほぼ円形の皿状をなしている。
【００１５】
内容器１３は、例えばクリームなどの内容物が充填されており、有底筒状をなしている。そして、内容器１３は、外容器１１よりも十分に薄肉（例えば、容易に減容変形されるような肉厚）とされ、上端開口が口部材１２における内壁部３２の下端縁に連設されている。ここで、内容器１３は、例えば口部材１２と共にブロー成形により一体に形成されてもよく、内容器１３を袋状の有底筒状に形成した後にその開口部と内壁部３２の下端縁とを溶着、融着などで接着してもよい。
【００１６】
蓋部材１４は、有頂筒状をなしており、周壁部４１と天板部４２とを備えている。周壁部４１の内周面には、口部材１２の雄ネジ部３６と螺合可能な雌ネジ部４３が形成されている。また、天板部４２の内面には、ライナー材４４が配置されている。
【００１７】
次に、上記二重容器１の使用方法について説明する。
まず、蓋部材１４を外容器１１に対して相対的に周方向で回転移動させる。ここで、上述したように係合凸部３４ａを係合凹部２３と係合させると、口部材１２と外容器１１との周方向に沿う相対的な回転移動が規制されている。そのため、蓋部材１４と外容器１１とを蓋部材１４と口部材１３とが周方向に沿って緩む側に相対的に回転移動させると、口部材１２が蓋部材１４と共に外容器１１に対して周方向で回転移動することなく、蓋部材１４と口部材１２との螺合状態が解除される。これにより、蓋部材１４は、外容器１１から取り外される。
その後、内容器１３内の内容物を適宜取り出した後、上述と同様に、蓋部材１４と外容器１１とを蓋部材１４と口部材１２とが周方向に沿って締まる側に回転移動させる。これにより、蓋部材１４は、口部材１２に螺着される。このとき、口部２２の外面及び上端開口縁が口部材１２で覆われているため、内容物を取り出す場合に使用者の指などは、外容器１１の開口部に触れずに外容器１１の外面のみを触れることとなる。
【００１８】
続いて、例えば内容器１３内の内容物が無くなった場合などにおいて、上記二重容器１の蓋部材１４、口部材１２及び内容器１３を交換する方法について説明する。
まず、上述と同様に、蓋部材１４及び内蓋材３７を口部材１２から取り外す。
次に、一対の係合片３４それぞれを径方向内方に押し込んで径方向内方に弾性変形させ、係合片３４を通過孔２４に対して径方向外側から内側に向けて進入させて係合凸部３４ａと係合凹部２３との係合状態を解除する。このとき、係合片３４の径方向外面が露出しているため、口部材１２が口部２２に装着されている場合であっても係合片３４を径方向内方に容易に押し込むことができる。
そして、口部材１２を外容器１１に対して上方に引き上げることにより、口部材１２を外容器１１から取り外す。ここで、内容器１３は、口部材１２に連設されているので、口部材１２と共に外容器１１から取り外される。
【００１９】
次に、内容物が充填された新たな内容器１３及び口部材１２を外容器１１に取り付ける。すなわち、口部材１２における一対の係合片３４及び外容器１１における一対の係合凹部２３それぞれの周方向位置を合わせた状態で、口部材１２を軸線Ｏ方向で外容器１１の口部２２に押し込む。このとき、口部材１２の外壁部３１及び内壁部３２の間に口部２２を差し込む。なお、この取り付け操作にあたっては、口部材１２に蓋部材１４が装着された状態で行うことが好ましい。
【００２０】
そして、口部材１２を外容器１１内に押し込んでいくと、係合凸部３４ａが胴部２１の上端縁に当接した際に、係合片３４は、通過孔２４内に進入しつつ径方向内方に向けて弾性変形する。そして、口部材１２をさらに押し込んでいき、係合凸部３４ａが係合凹部２３に到達したときに、係合片３４が径方向外方に弾性復帰し、係合凸部３４ａが係合凹部２３と係合する。内容器１３は、口部材１２を外容器１１に装着する際に口部材１２の内壁部３２と共に外容器１１の内側に収容される。
【００２１】
その後、新たな内蓋材３７を口部材１２の上端に載置し、新たな蓋部材１４を口部材１２に螺着する。これにより、使用時において使用者の指などが触れやすい蓋部材１４や口部材１２を内容器１３と共に交換される。
以上のようにして、蓋部材１４、口部材１２及び内容器１３を交換する。
なお、口部材１２及び内容器１３を外容器１１に装着した後に蓋部材１４を外容器１１に装着しているが、蓋部材１４を口部材１２に螺着した状態で蓋部材１４、口部材１２及び内容器１３を同時に外容器１１に装着してもよい。この場合、取り付け操作が簡素化される。
【００２２】
このような構成の二重容器１によれば、蓋部材１４と口部材１２及び内容器１３とが外容器１１に対して共に着脱自在であり、蓋部材１４、口部材１２及び内容器１３を新たな蓋部材１４、口部材１２及び内容器１３と交換できるため、二重容器１の清潔性を容易に保つことができる。また、交換による環境負荷を低減することができる。
また、係合片３４を係合凹部２３と係合させることで口部材１２と外容器１１との間における周方向の相対移動が規制されるので、蓋部材１４を口部材１２に対して螺合のような相対回転による固定により装着することができる。
ここで、内容器１３は、有底筒状の外容器１１の内側に収容されており、外面が外容器１１によって覆われる。そのため、内容器１３が外容器１１よりも十分に薄肉であっても、外部から二重容器１に加えられる力を外容器１１が受けるため、収容された内容器１３は、破損されにくい。
【００２３】
なお、本発明は上記実施形態に限定されるものではなく、本発明の趣旨を逸脱しない範囲において種々の変更を加えることができる。
例えば、係合片及び係合凹部は、それぞれ２箇所に設けられているが、１箇所や３箇所以上であってもよい。
また、口部材は、係合片及び係合凹部を係合させることによって外容器に着脱自在に装着されているが、いわゆるバヨネット式などの他の係合構造を用いて外容器に着脱自在に装着されてもよい。
そして、蓋部材は、雄ネジ部及び雌ネジ部を螺合させることによって口部材に着脱自在に装着されているが、他の構造を用いて口部材に着脱自在に装着されてもよい。ここで、蓋部材と口部材とを周方向で相対的に回転させることによって蓋部材を口部材に装着する構成となっているが、他の構造を用いて蓋部材を口部材に装着する構成となっている場合には、口部材を外容器に装着した際に口部材を外容器に対して周方向で相対的に回転不能とする構造でなくてもよい。
さらに、内蓋材は、設けられていなくてもよい。
また、外容器は、有底筒状に限られない。
【産業上の利用可能性】
【００２４】
この発明によれば、二重容器の清潔性を容易に保つことができる二重容器に関して、産業上の利用可能性が認められる。
【図面の簡単な説明】
【００２５】
【図１】本発明の一実施形態における二重容器であって蓋部材及び内蓋材を取り外した状態を示す平面図である。
【図２】図１における蓋部材及び内蓋材を取り付けた状態の側面図である。
【図３】図１における蓋部材及び内蓋材を取り付けた状態のＡ−Ａ矢視断面図である。
【図４】図１における蓋部材及び内蓋材を取り付けた状態のＢ−Ｂ矢視断面図である。
【符号の説明】
【００２６】
１  二重容器、１１  外容器、１２  口部材、１３  内容器、１４  蓋部材、２２  口部、２３  係合凹部（第１係合部）、３４ａ  係合凸部（第２係合部）
【図１】
2010036914.tif 000003
【図２】
2010036914.tif 000004
【図３】
2010036914.tif 000005
【図４】
2010036914.tif 000006